(57)【要約】【課題】エレベーター機器をより確実に引き上げることができるエレベーター機器の揚重システムを提供する。【解決手段】エレベーター機器の揚重システムは、エレベーターの機械室の床面に立てられる支持装置と、前記支持装置の上部に支持される梁装置と、前記機械室の上部において前記梁装置に支持される複数の滑車装置と、前記複数の滑車装置の各々にそれぞれ対応して設けられる複数の揚重装置と、を備え、前記複数の揚重装置の各々は、前記機械室の内部のエレベーター機器に対して鉛直投影面上の外側で対応した滑車装置の下方に配置される本体と、前記本体の下部に設けられ、前記機械室の下部において固定される固定体と前記本体の上部から対応した滑車装置を介して前記エレベーター機器に連結される引上体と、を備えた。【選択図】図１
2018140846.tif 000002
【特許請求の範囲】
【請求項１】
エレベーターの機械室の床面に立てられる支持装置と、
前記支持装置の上部に支持される梁装置と、
前記機械室の上部において前記梁装置に支持される複数の滑車装置と、
前記複数の滑車装置の各々にそれぞれ対応して設けられる複数の揚重装置と、
を備え、
前記複数の揚重装置の各々は、
前記機械室の内部のエレベーター機器に対して鉛直投影面上の外側で対応した滑車装置の下方に配置される本体と、
前記本体の下部に設けられ、前記機械室の下部において固定される固定体と、
前記本体の上部から対応した滑車装置を介して前記エレベーター機器に連結される引上体と、
を備えたエレベーター機器の揚重システム。
【請求項２】
前記固定体は、前記支持装置の下部に固定される請求項１に記載のエレベーター機器の揚重システム。
【請求項３】
エレベーターの機械室の床面に支持装置を立てる支持装置設置工程と、
前記支持装置の上部で梁装置を支持する梁装置支持工程と、
前記梁装置で複数の滑車装置を支持する滑車装置支持工程と、
前記複数の滑車装置の各々にそれぞれ対応させて複数の揚重装置を設ける揚重装置設置工程と、
を備え、
前記揚重装置設置工程は、
前記複数の揚重装置の各々の本体を前記機械室の内部のエレベーター機器に対して鉛直投影面上の外側で対応した滑車装置の下方に配置させる本体配置工程と、
前記複数の揚重装置の各々の固定体を前記機械室の下部において固定する固定体固定工程と、
前記複数の揚重装置の各々の引上体を対応した滑車装置を介して前記エレベーター機器に連結する引上体連結工程と、
を備えたエレベーター機器の揚重方法。
【請求項４】
前記固定体固定工程は、前記固定体を前記支持装置の下部に固定する工程を含む請求項３に記載のエレベーター機器の揚重方法。
【発明の詳細な説明】
【技術分野】
【０００１】
この発明は、エレベーター機器の揚重システムおよび揚重方法に関する。
【背景技術】
【０００２】
特許文献１は、エレベーター機器の揚重システムを開示する。当該揚重システムは、揚重装置を備える。当該揚重装置の本体は、エレベーター機器に対して鉛直投影面上の外側に配置される。このため、機械室の天井が低くても、エレベーター機器を引き上げ得る。
【先行技術文献】
【特許文献】
【０００３】
【特許文献１】特許第５９３６５０３号公報
【発明の概要】
【発明が解決しようとする課題】
【０００４】
しかしながら、特許文献１に記載の揚重システムにおいては、揚重システムの上部に揚重装置の本体を配置する必要がある。このため、機械室に設置されるエレベーター機器と機械室の天井との隙間が少ない場合にエレベーター機器を引き上げられないこともある。
【０００５】
この発明は、上述の課題を解決するためになされた。エレベーター機器をより確実に引き上げることができるエレベーター機器の揚重システムおよび揚重方法を提供することである。
【課題を解決するための手段】
【０００６】
この発明に係るエレベーター機器の揚重システムは、エレベーターの機械室の床面に立てられる支持装置と、前記支持装置の上部に支持される梁装置と、前記機械室の上部において前記梁装置に支持される複数の滑車装置と、前記複数の滑車装置の各々にそれぞれ対応して設けられる複数の揚重装置と、を備え、前記複数の揚重装置の各々は、前記機械室の内部のエレベーター機器に対して鉛直投影面上の外側で対応した滑車装置の下方に配置される本体と、前記本体の下部に設けられ、前記機械室の下部において固定される固定体と前記本体の上部から対応した滑車装置を介して前記エレベーター機器に連結される引上体と、を備えた。
【０００７】
この発明に係るエレベーター機器の揚重方法は、エレベーターの機械室の床面に支持装置を立てる支持装置設置工程と、前記支持装置の上部で梁装置を支持する梁装置支持工程と、前記梁装置で複数の滑車装置を支持する滑車装置支持工程と、前記複数の滑車装置の各々にそれぞれ対応させて複数の揚重装置を設ける揚重装置設置工程と、を備え、前記揚重装置設置工程は、前記複数の揚重装置の各々の本体を前記機械室の内部のエレベーター機器に対して鉛直投影面上の外側で対応した滑車装置の下方に配置させる本体配置工程と、前記複数の揚重装置の各々の固定体を前記機械室の下部において固定する固定体固定工程と、前記複数の揚重装置の各々の引上体を対応した滑車装置を介して前記エレベーター機器に連結する引上体連結工程と、を備えた。
【発明の効果】
【０００８】
これらの発明によれば、揚重装置の本体は、エレベーター機器に対して鉛直投影面上の外側で対応した滑車装置の下方に配置される。このため、揚重装置の本体を揚重システムの上部に配置する必要がない。その結果、エレベーター機器をより確実に引き上げることができる。
【図面の簡単な説明】
【０００９】
【図１】この発明の実施の形態１におけるエレベーター機器の揚重システムの正面図である。
【図２】この発明の実施の形態１におけるエレベーター機器の揚重システムの平面図である。
【図３】この発明の実施の形態１におけるエレベーター機器の揚重システムの滑車装置の側面図である。
【図４】この発明の実施の形態１におけるエレベーター機器の揚重システムによるエレベーター機器の設置手順を説明するためのフローチャートである。
【図５】この発明の実施の形態２におけるエレベーター機器の揚重システムの滑車装置の側面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１はこの発明の実施の形態１におけるエレベーター機器の揚重システムの正面図である。図２はこの発明の実施の形態１におけるエレベーター機器の揚重システムの平面図である。
【００１２】
図１と図２とにおいて、エレベーターの機械室１は、図示されない昇降路の上方に設けられる。支持台２は、機械室１の床面に設けられる。例えば、エレベーター機器３は、巻上機である。エレベーター機器３は、機械室１の内部において支持台２の上面に設置される。
【００１３】
エレベーター機器３が支持台２の上面に設置される際、エレベーター機器３の揚重システムは、機械室１に一時的に設置される。揚重システムは、支持装置４と梁装置５と複数の滑車装置６と複数の揚重装置７とを備える。
【００１４】
例えば、支持装置４は、４本の支持部材４ａと４本の連結具材４ｂとを備える。４本の支持部材４ａの各々は、鉛直方向に対して伸縮自在に設けられる。４本の支持部材４ａの各々は、機械室１の床面において対応した角部に立てられる。４本の連結具材４ｂの各々は、隣接した支持部材４ａの下部に連結される。４本の連結具材４ｂの各々は、隣接した支持部材４ａの下部が互いに離れる方向に変形することを抑制し得るように設けられる。４本の連結具材４ｂは、支持装置４の全体の強度を向上させるように設けられる。
【００１５】
例えば、梁装置５は、４本の梁部材５ａを備える。例えば、４本の梁部材５ａの各々は、Ｈ鋼部材である。複数の梁部材の各々は、複数の貫通孔を備える。４本の梁部材５ａの各々は、隣接した支持部材４ａの上部に連結される。この際、複数の貫通孔は、水平方向に並ぶ。４本の梁部材５ａの各々は、４本の支持部材４ａの伸縮に応じて鉛直方向の位置を変化させ得るように設けられる。４本の梁部材５ａは、鉛直投影面上において四角形の各辺を形成するように設けられる。４本の梁部材５ａは、支持装置４の全体の強度を向上させるように設けられる。
【００１６】
例えば、複数の滑車装置６の各々は、機械室１の上部において対応した梁装置５に支持される。複数の滑車装置６は、エレベーター機器３に対して鉛直投影面上の外側に配置される。例えば、第１の滑車装置６は、機械室１の一側において梁部材５ａに支持される。例えば、第２の滑車装置６は、機械室１の他側において梁部材５ａに支持される。例えば、第３の滑車装置６は、機械室１の奥側において梁部材５ａに支持される。
【００１７】
例えば、複数の揚重装置７は、複数の滑車装置６の各々にそれぞれ対応して設けられる。例えば、複数の揚重装置は、チェーンブロックである。複数の揚重装置７の各々は、本体７ａと固定体７ｂと引上体７ｃとを備える。本体７ａは、エレベーター機器３に対して鉛直投影面上の外側で対応した滑車装置６の下方に配置される。固定体７ｂは、前記機械室１の下部において支持部材４ａの下部に固定される。例えば、固定体７ｂの端部は、支持部材４ａの足部に固定された支持部材に連結される。例えば、引上体７ｃは、ワイヤである。引上体７ｃは、本体７ａの上部から対応した滑車装置６を介してエレベーター機器３に連結される。
【００１８】
次に、図３を用いて、滑車装置６を説明する。
図３はこの発明の実施の形態１におけるエレベーター機器の揚重システムの滑車装置の側面図である。
【００１９】
図３に示されるように、滑車装置６は、返し車６ｅと連結具６ｆと支持部材６ｇとナット６ｈとを備える。
【００２０】
返し車６ｅは、梁部材５ａに対して機械室１の中央の側に隣接する。返し車６ｅは、図示されない溝を備える。当該溝は、返し車６ｅの外周面に形成される。連結具６ｆは、返し車６ｅを回転自在に支持する。支持部材６ｇは、梁部材５ａの貫通孔を貫通する。支持部材６ｇの頭部は、梁部材５ａに対して機械室１の中央の側に配置される。支持部材６ｇの頭部は、連結具６ｆのフック部に連結される。ナット６ｈは、支持部材６ｇの他側にねじ込まれる。
【００２１】
滑車装置６に対し、引上体７ｃは、返し車６ｅの外周面の溝に巻き掛けられる。返し車６ｅは、引上体７ｃからの荷重を受ける。連結具６ｆは、返し車６ｅからの荷重を受ける。この際、連結具６ｆは、当該荷重に応じて位置を変化させる。
【００２２】
次に、図４を用いて、エレベーター機器３の設置手順を説明する。
図４はこの発明の実施の形態１におけるエレベーター機器の揚重システムによるエレベーター機器の設置手順を説明するためのフローチャートである。
【００２３】
図４に示されるように、ステップＳ１では、支持装置設置工程が行われる。支持装置設置工程においては、支持装置４が機械室１の床面に立てられる。その後、ステップＳ２の手順が行われる。ステップＳ２では、梁装置支持工程が行われる。梁装置支持工程では、梁装置５が支持装置４の上部に支持される。その後、ステップＳ３の手順が行われる。ステップＳ３では、滑車装置支持工程が行われる。滑車装置支持工程においては、複数の滑車装置６が梁装置５に支持される。
【００２４】
その後、ステップＳ４の手順が行われる。ステップＳ４では、揚重装置設置工程が行われる。揚重装置設置工程では、本体配置工程と固定体固定工程と引上体連結工程が行われる。
【００２５】
本体配置工程においては、複数の揚重装置７の各々の本体７ａがエレベーター機器３に対して鉛直投影面上の外側で対応した滑車装置６の下方に配置される。固定体固定工程においては、複数の揚重装置７の各々の固定体７ｂが機械室１の下部において固定される。引上体連結工程においては、複数の揚重装置７の各々の引上体７ｃが対応した滑車装置６を介してエレベーター機器３に連結される。
【００２６】
その後、ステップＳ５の手順が行われる。ステップＳ５では、支持装置伸長工程が行われる。支持装置伸長工程においては、支持装置４が鉛直方向に伸長される。この際、支持装置４は、梁装置５が機械室１の天井に接触するまで伸長される。その結果、揚重システムのねじれが抑制される。このため、揚重システムの強度が向上する。
【００２７】
その後、ステップＳ６の手順が行われる。ステップＳ６では、エレベーター機器引上工程が行われる。エレベーター機器引上工程においては、複数の揚重装置７の各々の引上体７ｃが本体７ａに巻き取られる。その結果、複数の引上体７ｃは、鉛直線に対して傾斜する方向であって互いに異なる方向にエレベーター機器３を引き合うことによりエレベーター機器３を引き上げながらエレベーター機器３の水平方向の位置を変化させる。
【００２８】
その後、ステップＳ７の手順が行われる。ステップＳ７では、エレベーター機器設置工程が行われる。エレベーター機器設置工程においては、複数の揚重装置７の各々の引上体７ｃが支持台２の上方においてエレベーター機器３から切り離される。その結果、エレベーター機器３が支持台２に設置される。
【００２９】
以上で説明した実施の形態１によれば、揚重装置７の本体７ａは、エレベーター機器３に対して鉛直投影面上の外側で対応した滑車装置６の下方に配置される。このため、揚重装置７の本体７ａを揚重システムの上部に配置する必要がない。その結果、機械室１に設置されるエレベーター機器３と機械室１の天井との間の隙間が少ない場合でも、エレベーター機器３の吊り代を最大限に確保することができる。このため、エレベーター機器３をより確実に引き上げることができる。
【００３０】
また、揚重装置７の固定体７ｂは、支持部材４ａの下部に固定される。このため、機械室１に揚重装置７の固定体７ｂの固定部を設ける必要がない。その結果、揚重システムだけで揚重システムの強度を向上させることができる。
【００３１】
また、連結具６ｆは、支持部材６ｇに移動を規制されるものの返し車６ｅからの荷重に応じて位置をある程度自由に変化させることができる。このため、固定体７ｂと引上体７ｃとに対して返し車６ｅを平行にすることができる。
【００３２】
実施の形態２．
図５はこの発明の実施の形態２におけるエレベーター機器の揚重システムの滑車装置の側面図である。なお、実施の形態１と同一または相当部分には、同一符号が付される。当該部分の説明は省略される。
【００３３】
図５に示されるように、滑車装置６は、返し車６ａと台座６ｂとボルト６ｃとナット６ｄとを備える。
【００３４】
返し車６ａは、梁部材５ａに対して機械室１の中央の側に隣接する。返し車６ａは、図示されない溝を備える。当該溝は、返し車６ａの外周面に形成される。台座６ｂは、返し車６ａを回転自在に支持する。ボルト６ｃは、梁部材５ａのいずれかの貫通孔を貫通する。ボルト６ｃの一側は、台座６ｂに固定される。ナット６ｄは、ボルト６ｃの他側にねじ込まれる。
【００３５】
滑車装置６に対し、引上体７ｃは、返し車６ａの外周面の溝に巻き掛けられる。返し車６ａは、引上体７ｃからの荷重を受ける。台座６ｂは、返し車６ａからの荷重を受ける。この際、台座６ｂは、当該荷重に応じてボルト６ｃを軸として回転する。
【００３６】
以上で説明した実施の形態２によれば、実施の形態１と同様にエレベーター機器３の吊り代を最大限に確保することができる。このため、エレベーター機器３をより確実に引き上げることができる。
【００３７】
なお、実施の形態１および実施の形態２の揚重システムを巻上機以外のエレベーター機器３に適用してもよい。この場合も、エレベーター機器３をより確実に引き上げることができる。
【００３８】
また、実施の形態１および実施の形態２において、２つの揚重装置７または４つ以上の揚重装置７を用いてエレベーター機器３を引き上げてもよい。この場合も、エレベーター機器３をより確実に引き上げることができる。
【００３９】
また、実施の形態１および実施の形態２において、鉛直投影面上において四角形以外の多角形の各辺を形成するように複数の梁部材５ａを設けてもよい。この場合も、エレベーター機器３をより確実に引き上げることができる。
【符号の説明】
【００４０】
１  機械室、  ２  支持台、  ３  エレベーター機器、  ４  支持装置、  ４ａ  支持部材、  ４ｂ  連結具材、  ５  梁装置、  ５ａ  梁部材、  ６  滑車装置、  ６ａ  返し車、  ６ｂ  台座、  ６ｃ  ボルト、  ６ｄ  ナット、  ６ｅ  返し車、  ６ｆ  連結具、  ６ｇ  支持部材、  ６ｈ  ナット、  ７  揚重装置、  ７ａ  本体、  ７ｂ  固定体、  ７ｃ  引上体
【図１】
2018140846.tif 000003
【図２】
2018140846.tif 000004
【図３】
2018140846.tif 000005
【図４】
2018140846.tif 000006
【図５】
2018140846.tif 000007